(57)【要約】【課題】使用者が横向きに使用した場合であっても、仰向きの場合と同様の寝心地を与えることができるマットレスを提供する。【解決手段】樹脂材料からなる網状構造体が用いられ、平面視において、短辺が延びる方向が幅方向となり、長辺が延びる方向が長さ方向となる矩形形状のマットレスであって、使用者が寝る面を表面Ｆ、表面Ｆとは反対側の面を裏面Ｒとし、裏面Ｒには、長さ方向に延びる幅方向の中心線ＣＬを挟み所定の間隔を隔てて複数の凹部Ａ１，Ａ２が設けられ、凹部Ａ１，Ａ２は、網状構造体を裏面Ｒ側から前記表面Ｆ側に向けて窪んでいる。【選択図】図２
2017192536.tif 000002
【特許請求の範囲】
【請求項１】
樹脂材料からなる網状構造体が用いられ、平面視において、短辺が延びる方向が幅方向となり、長辺が延びる方向が長さ方向となる矩形形状のマットレスであって、
使用者が寝る面を表面、前記表面とは反対側の面を裏面とし、
前記裏面には、前記長さ方向に延びる前記幅方向の中心線を挟み所定の間隔を隔てて複数の凹部が設けられ、
前記凹部は、前記網状構造体を前記裏面側から前記表面側に向けて窪んでいる、マットレス。
【請求項２】
前記幅方向において、前記中心線に最も近接する位置に配置された前記凹部を基準にした前記中心線までの距離が、前記長さ方向の一方側が、前記長さ方向の他方側よりも大きく設けられている、請求項１に記載のマットレス。
【請求項３】
前記中心線に沿って、中央に複数の凹部がさらに設けられ、
中央に複数設けられた前記凹部も、前記網状構造体を前記裏面側から前記表面側に向けて窪んでいる、請求項１または請求項２に記載のマットレス。
【請求項４】
前記凹部は、平面視において円形形状である、請求項１から請求項３のいずれかに記載のマットレス。
【請求項５】
前記凹部は、平面視において幅方向に延びる長円形形状である、請求項１から請求項３のいずれかに記載のマットレス。
【請求項６】
前記凹部は、平面視において長さ方向に延びる長円形形状である、請求項１から請求項３のいずれかに記載のマットレス。
【発明の詳細な説明】
【技術分野】
【０００１】
本発明は、マットレスの構造に関する。
【背景技術】
【０００２】
特開２０１０−２７９６８７号公報（特許文献１）、特開２０１２−１６９号公報（特許文献２）、および、特開２０１５−２９３７号公報（特許文献３）には、体圧を分散させることを目的としたマットレスが開示されている。また、網状構造体を寝具等に用いる技術が、特開２０１３−９０６５７号公報（特許文献４）、特開２０１３−９０６５８号公報（特許文献５）、特開２０１３−９０６６１号公報（特許文献６）、特開２０１３−９０６６２号公報（特許文献７）、および、特開２０１３−９１８６２号公報（特許文献８）に開示されている。
【先行技術文献】
【特許文献】
【０００３】
【特許文献１】特開２０１０−２７９６８７号公報
【特許文献２】特開２０１２−１６９号公報
【特許文献３】特開２０１５−２９３７号公報
【特許文献４】特開２０１３−９０６５７号公報
【特許文献５】特開２０１３−９０６５８号公報
【特許文献６】特開２０１３−９０６６１号公報
【特許文献７】特開２０１３−９０６６２号公報
【特許文献８】特開２０１３−９１８６２号公報
【発明の概要】
【発明が解決しようとする課題】
【０００４】
特許文献１および特許文献２に開示されるマットレスにおいては、使用者が通常の使用状態として、マットレスの上に仰向けに寝た場合が想定されており、マットレス全体での体圧分散が考慮されている。しかし、使用者によっては、寝返り等により、横向きの姿勢でマットレスを使用することが少なくない。
【０００５】
このような場合には、身体の側面に体重が加わることから、マットレス全体として体圧分散が考慮されている場合には、横向きの姿勢になった時に、マットレスには、身体の側面から集中荷重が加わるためマットレスに大きな反発力が発生することとなる。この反発力は、使用者に対してマットレスの硬さとして認識され、寝心地が悪いマットレスとの感覚を与えることとなる。
【０００６】
特許文献３に開示されるマットレスは、肩部において左右両側に最も張り出している左右の肩甲骨の肩峰外端または左右の上腕大結節と、殿部において左右両側に最も張り出している左右の大腿骨の大転子とを結んだ線を含んで位置する長溝が設けられ、使用者の睡眠中の寝返りにおいて、この長溝内に、肩部から殿部に至る使用者の左右両側が収容されることで、側臥位で横たわっても使用者の身体に悪影響を与え難くすることを可能としている。しかし、使用者が横向き（側臥位）で横たわった場合には、長溝内に使用者の側部が落ち込み、仰向け（仰臥位）に戻る際に困難となる。
【０００７】
この発明の目的は、上記課題に鑑みてなされたもので、使用者が横向きに使用した場合であっても、仰向きの場合と同様の寝心地を与えることができ、さらに使用者が寝返りをしやすいマットレスを提供することにある。
【課題を解決するための手段】
【０００８】
このマットレスにおいては、樹脂材料からなる網状構造体が用いられ、平面視において、短辺が延びる方向が幅方向となり、長辺が延びる方向が長さ方向となる矩形形状のマットレスであって、使用者が寝る面を表面、上記表面とは反対側の面を裏面とし、上記裏面には、上記長さ方向に延びる上記幅方向の中心線を挟み所定の間隔を隔てて複数の凹部が設けられ、上記凹部は、上記網状構造体を上記裏面側から上記表面側に向けて窪んでいる。
【０００９】
他の形態においては、上記幅方向において、上記中心線に最も近接する位置に配置された上記凹部を基準にした上記中心線までの距離が、上記長さ方向の一方側が、上記長さ方向の他方側よりも大きく設けられている。
【００１０】
他の形態においては、上記中心線に沿って、中央に複数の凹部がさらに設けられ、中央に複数設けられた上記凹部も、上記網状構造体を上記裏面側から上記表面側に向けて窪んでいる。
【００１１】
他の形態においては、上記凹部は、平面視において円形形状である。
他の形態においては、上記凹部は、平面視において幅方向に延びる長方形形状である。
【００１２】
他の形態においては、上記凹部は、平面視において長さ方向に延びる長方形形状である。
【発明の効果】
【００１３】
このマットレスによれば、全体構造として樹脂材料からなる網状構造体が用いられることにより、マットレスに要求されるクッション性を十分有している。さらに、裏面には、長さ方向に延びる幅方向の中心線を挟んで複数の凹部が設けられている。
【００１４】
この複数の凹部は、網状構造体を裏面側から上記表面側に向けて窪んでいることから、凹部が設けられていない部位に比較して、マットレスの硬度は他の部位よりも柔らかい部位となる。さらに、この複数の凹部は、長さ方向に延びる幅方向の中心線を挟み所定の間隔を隔てて配置されていることにより、使用者が寝返った場合には、使用者の肩等の側部が位置する部位となる。
【００１５】
その結果、使用者が寝返った場合に複数の凹部に身体の側面から集中荷重が加わってもこの部位は他の部位に比べて柔らかいことから、使用者に対しては、マットレスの硬さが認識されることなく、寝心地が良いマットレスとの感覚を与えることができる。
【００１６】
さらに、複数の凹部は、網状構造体を裏面側から表面側に向けて凹ますことにより形成された凹部であることから、使用者の身体が凹部にはまり込むことがなく、寝返りをしやすいマットレスの提供を可能としている。
【図面の簡単な説明】
【００１７】
【図１】各実施の形態に用いられる網状構造体の構造を示す図であり、（ａ）は模式的な斜視図、（ｂ）は一部拡大図である。
【図２】実施の形態１におけるマットレスの裏面側から見た平面図である。
【図３】図２中のＩＩＩ−ＩＩＩ線矢視断面図である。
【図４】図２中のＩＶ−ＩＶ線矢視断面図である。
【図５】実施の形態２におけるマットレスの裏面側から見た平面図である。
【図６】実施の形態３におけるマットレスの裏面側から見た平面図である。
【図７】実施の形態４におけるマットレスの裏面側から見た平面図である。
【図８】実施の形態５におけるマットレスの裏面側から見た平面図である。
【図９】実施の形態６におけるマットレスの裏面側から見た平面図である。
【図１０】実施の形態７におけるマットレスの裏面側から見た平面図である。
【図１１】実施の形態８におけるマットレスの裏面側から見た平面図である。
【発明を実施するための形態】
【００１８】
本発明に基づいた各実施の形態のマットレスについて、以下、図面を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。また、図においては、実際の寸法比率では記載しておらず、構造の理解を容易にするために、一部比率を異ならせて記載している。
【００１９】
初めに、各実施の形態におけるマットレスは、熱可塑性ポリエステル系原料、または、熱可塑性ポリオレフィン系原料、その他の熱可塑性樹脂材料からなる網状構造体を用いたマットレスである。熱可塑性ポリエステル系原料を用いたものとしては、ポリエステル系熱可塑性エラストマーが挙げられる。ポリエステル系熱可塑性エラストマーは、熱可塑性ポリエステルをハードセグメントとし、ポリアルキレンジオールをソフトセグメントとするポリエステルエーテルブロック共重合体、または脂肪族ポリエステルをソフトセグメントとするポリエステルブロック共重合体が例示できる。
【００２０】
熱可塑性ポリオレフィン系原料としては、網状構造体を構成するポリマーは比重が０．９４ｇ／ｃｍ３以下の低密度ポリエチレン樹脂であることが好ましく、特にエチレンと炭素数３以上のαオレフィンからなるエチレン・α−オレフィン共重合体樹脂からなることが好ましい。エチレン・α−オレフィン共重合体は、特開平６−２９３８１３号公報に記載されている共重合であることが好ましく、エチレンと炭素数３以上のα−オレフィンを共重合してなるものである。
【００２１】
ここで、炭素数３以上のα−オレフィンとしては、例えばプロピレン、ブテン−１、ペンテン−１、ヘキセン−１、４−メチル−１−ペンテン、ヘプテン−１、オクテン−１、ノネン−１、デセン−１、ウンデセン−１、ドデセン−１、トリデセン−１、テトラデセン−１、ペンタデセン−１、ヘキサデセン−１、ヘプタデセン−１、オクタデセン−１、ノナデセン−１、エイコセン−１などが挙げられ、好ましくはブテン−１、ペンテン−１、ヘキセン−１、４−メチル−１−ペンテン、ヘプテン−１、オクテン−１、ノネン−１、デセン−１、ウンデセン−１、ドデセン−１、トリデセン−１、テトラデセン−１、ペンタデセン−１、ヘキサデセン−１、ヘプタデセン−１、オクタデセン−１、ノナデセン−１、エイコセン−１である。また、これら２種類以上を用いることもでき、これらα−オレフィンは通常１〜４０重量％共重合される。この共重合体は、特定のメタロセン化合物と有機金属化合物を基本構成とする触媒系を用いてエチレンとα−オレフィンを共重合することによって得ることができる。
【００２２】
必要に応じて、上記方法によって重合された二種類以上のポリマーや、水素添加ポリブタジエンや水素添加ポリイソプレンなどのポリマーをブレンドすることができる。改質剤として、酸化防止剤、耐侯剤、難燃剤などを必要に応じて添加することができる。
【００２３】
また、その他の熱可塑性樹脂材料としては、エチレン酢酸ビニル共重合体が挙げられる。エチレン酢酸ビニル共重合体として、網状構造体を構成するポリマーは比重が０．９１〜０．９６５が好ましい。比重は、酢酸ビニル含有率によって変化し、酢酸ビニルの含有率は１〜３５％が好ましい。酢酸ビニル含有率が小さいとゴム弾性に乏しくなる恐れがあり、そういった観点から酢酸ビニル含有率は１％以上が好ましく、２％以上がより好ましく、３％以上がさらに好ましい。酢酸ビニル含有率が大きくなるとゴム弾性には優れるが、融点が低下し耐熱性に乏しくなる恐れがあるため、酢酸ビニル含有率は３５％以下が好ましく、３０％以下がより好ましく、２６％以下がさらに好ましい。
【００２４】
エチレン酢酸ビニル共重合体は、炭素数３以上のα−オレフィンを共重合することもできる。ここで、炭素数３以上のα−オレフィンとしては、例えばプロピレン、ブテン−１、ペンテン−１、ヘキセン−１、４−メチル−１−ペンテン、ヘプテン−１、オクテン−１、ノネン−１、デセン−１、ウンデセン−１、ドデセン−１、トリデセン−１、テトラデセン−１、ペンタデセン−１、ヘキサデセン−１、ヘプタデセン−１、オクタデセン−１、ノナデセン−１、エイコセン−１などが挙げられ、好ましくはブテン−１、ペンテン−１、ヘキセン−１、４−メチル−１−ペンテン、ヘプテン−１、オクテン−１、ノネン−１、デセン−１、ウンデセン−１、ドデセン−１、トリデセン−１、テトラデセン−１、ペンタデセン−１、ヘキサデセン−１、ヘプタデセン−１、オクタデセン−１、ノナデセン−１、エイコセン−１である。また、これら２種類以上を用いることもできる。
【００２５】
図１（ａ）は網状構造体１の一例の模式的な斜視図であり、図１（ｂ）は図１（ａ）に示す網状構造体１の一部を拡大して示す図である。この網状構造体１は、繊度が１００〜１０００００デシテックスの連続した線条（連続線状体２）を曲がりくねらせランダムにループを形成し（ランダムループ３）、ループ同士を接触させ、その接触した部分（接触部）を融着した三次元ランダムループ接合構造を備えている。また、連続線状体２としては、単一繊度の線条からなる連続線状体だけでなく、繊度の異なる線条からなる連続線状体２も使用し、見掛け密度との組合せで最適な構成とすることも可能である。
【００２６】
このような構造を備えることで、非常に大きい応力で網状構造体１を変形させた場合でも、網状構造体１全体が変形することで応力を吸収し、応力が解除されると、連続線状体２を形成する熱可塑性エラストマーのゴム弾性が発現して、元の形態に回復することができる。
【００２７】
この構造を採用することで、クッション性および静寂性に優れたマットレスの提供を可能としているが、以下に示す各実施の形態においては、さらに、使用者が寝返った場合においても、使用者に対しては、マットレスの硬さが認識されることなく、寝心地が良いマットレスとの感覚を与えることができる。以下、詳細に説明する。
【００２８】
［実施の形態１：マットレス１００］
図２から図４を参照して、本実施の形態におけるマットレス１００の構成について説明する。図２は、マットレス１００の裏面側から見た平面図、図３は、図２中のＩＩＩ−ＩＩＩ線矢視断面図、図４は、図２中のＩＶ−ＩＶ線矢視断面図である。
【００２９】
マットレス１００は、上記した網状構造体１と同構造の網状構造体１１０が用いられている。マットレス１００は、平面視において、短辺が延びる方向が幅方向（Ｗ）となり、長辺が延びる方向が長さ方向（Ｌ）となる矩形形状のマットレスであって、床側に位置する面を裏面Ｒ、この裏面Ｒとは反対側の面を表面Ｆとしている。通常、使用者が寝る面を表面Ｆ、表面Ｆとは反対側の面を裏面Ｒとして、このマットレス１００を使用する。
【００３０】
このマットレス１００はシングルサイズであり、幅方向（Ｗ）は約１２００ｍｍ、長さ方向（Ｌ）は約２０００ｍｍｍ、厚さは約４０ｍｍである。また、表面Ｆには幅方向に延びる線条の折り曲げ用溝ＯＬ１が設けられ、裏面Ｒにも幅方向に延びる線条の折り曲げ用溝ＯＬ２が設けられている。マットレス１００を三つ折りにすることから、折り曲げ用溝ＯＬ１および折り曲げ用溝ＯＬ２の位置としては、Ｌ１＝約６６７ｍｍ、Ｌ２＝約６６６ｍｍ、Ｌ３＝約６６７ｍｍに設けられている。
【００３１】
さらに、このマットレス１００の裏面Ｒには、長さ方向に延びる幅方向（Ｗ）の中心線ＣＬを挟み所定の間隔を隔てて配置された一対の複数の凹部Ａ１，Ａ２が設けられている。この複数の凹部Ａ１，Ａ２のそれぞれは、図３に示すように、網状構造体を裏面Ｒ側から表面Ｆ側に向けて凹む有底の形状である。本実施の形態では、全ての凹部Ａ１，Ａ２は、平面視において円形形状を有している。直径は約３０ｍｍ、深さは約３０ｍｍ程度である。なお、凹部Ａ１，Ａ２の深さは、網状構造体の厚みに対して、５０％〜９５％が好ましい。
【００３２】
複数の凹部Ａ１，Ａ２は、それぞれ２２個設けられ、マットレス１００としては、合計４４個の凹部Ａ１，Ａ２が形成されている。凹部Ａ１，Ａ２は、網状構造体１１０を厚み方向に圧縮および加熱させて成形している。
【００３３】
本実施の形態において、複数の凹部Ａ１，Ａ２においては、中心線ＣＬに最も近接する位置に配置された凹部Ａ１，Ａ２を基準にした中心線ＣＬまでの距離が、長さ方向の一方側が、長さ方向の他方側よりも徐々に大きくなるように設けられている（Ｗ１３＜Ｗ２３）。
【００３４】
また、長さ方向に沿ってみた場合には、凹部Ａ１，Ａ２は、２個の凹部Ａ１，Ａ２と１個の凹部Ａ１，Ａ２とが交互に配置されている。凹部Ａ１，Ａ２の長さ方向に沿った場合の中心位置での配置ピッチＰ１は、約４０ｍｍである。また、折り曲げ用溝ＯＬ１および折り曲げ用溝ＯＬ２に対する間隔Ｐ２は、約８５ｍｍに設けられている。
【００３５】
凹部Ａ１，Ａ２の幅方向においては、本実施の形態では、中心線ＣＬに対して線対称となるように配置され、中心線ＣＬを挟んだ距離は、Ｆ側においては、Ｗ１１×２＝４８０ｍｍ、Ｗ１２×２＝４００ｍｍ、Ｗ１３×２＝３２０ｍｍ、Ｍ側においては、Ｗ２１×２＝５３０ｍｍ、Ｗ２２×２＝４５０ｍｍ、Ｗ２３×２＝３７０ｍｍである。その結果、複数の凹部Ａ１，Ａ２は、中心線ＣＬを基準にしてみた場合に、Ｆ側において近く、Ｍ側において遠ざかるように傾斜するように設けられている。なお、凹部Ａ１，Ａ２の位置の基準位置は、凹部Ｈ１の中心位置を基準としている。
【００３６】
このように、Ｆ側とＭ側とにおいては、長さ方向の一方側であるＭ側の幅が、長さ方向の他方側であるＦ側の幅よりも大きく設けられている。これは、Ｍ側がたとえば男性の頭側として用いた場合には、男性の肩幅に適していることを意味し、Ｆ側がたとえば女性の頭側として用いた場合には、肩幅が男性よりも一般的に狭い女性に適していることを意味している。
【００３７】
このように、使用する向きを変更することで、男性用と女性用とに使い分けることを可能とする。したがって、マットレス１００を３分割した場合において、使用者の肩が位置する部位に集中して凹部Ａ１，Ａ２を配置するようにしている。なお、複数の凹部Ａ１，Ａ２を、中心線ＣＬを基準にして見た場合に、平行となるように配置してもよい。
【００３８】
以上、本実施の形態におけるマットレス１００によれば、全体構造として樹脂材料からなる網状構造体１１０が用いられることにより、マットレス１００に要求されるクッション性を十分有している。さらに、裏面において複数の凹部Ａ１，Ａ２は、長さ方向に延びる幅方向の中心線を挟み所定の間隔を隔てて配置されている。
【００３９】
この複数の凹部Ａ１，Ａ２は、網状構造体を裏面側から表面側に向けて窪んでいることから、凹部が設けられていない部位に比較して、マットレスの硬度は他の部位よりも柔らかい部位となる。さらに、この複数の凹部は、長さ方向に延びる幅方向の中心線を挟み所定の間隔を隔てて配置されていることにより、使用者が寝返った場合には、使用者の肩等の側部が位置する部位となる。
【００４０】
その結果、使用者が寝返った場合に複数の凹部Ａ１，Ａ２に身体の側面から集中荷重が加わってもこの部位は他の部位に比べて柔らかいことから、使用者に対しては、マットレスの硬さが認識されることなく、寝心地が良いマットレスとの感覚を与えることができる。
【００４１】
さらに、複数の凹部Ａ１，Ａ２は、網状構造体１１０を厚み方向に圧縮させて成形している。したがって、凹部Ａ１，Ａ２の底部の厚みは、凹部Ａ１，Ａ２が無い部位よりも薄い状態ではあるが、凹部Ａ１，Ａ２の底部の網状構造体の素材の密度は他の部位よりも高くなっていることから、凹部Ａ１，Ａ２の底部の強度が弱まることはない。
【００４２】
さらに、凹部Ａ１，Ａ２のそれぞれは、網状構造体を裏面側から表面側に向けて凹ますことにより形成された凹部であることから、使用者の身体が凹部にはまり込むことがなく、寝返りをしやすいマットレスの提供を可能としている。
【００４３】
［実施の形態２：マットレス１００Ａ］
次に、図５を参照して、マットレス１００Ａの構成について説明する。図５は、マットレス１００Ａの裏面側から見た平面図である。このマットレス１００Ａの基本的構成は、上記実施の形態１におけるマットレス１００と同一であり、相違点は、凹部Ａ１，Ａ２の形状にある。本実施の形態においては、凹部Ａ１，Ａ２として、平面視において幅方向（Ｗ）に延びる長方形形状である。凹部Ａ１，Ａ２を形成する際には長方形の型を用い、成形後においては、凹部Ａ１，Ａ２の角部は若干の丸みを帯びた形状となる。
【００４４】
この凹部Ａ１，Ａ２を有するマットレス１００Ａにおいても、上記実施の形態１におけるマットレス１００と同様の作用効果を得ることを可能としている。
【００４５】
［実施の形態３：マットレス１００Ｂ］
次に、図６を参照して、マットレス１００Ｂの構成について説明する。図６は、マットレス１００Ｂの裏面側から見た平面図である。このマットレス１００Ｂの基本的構成は、上記実施の形態１におけるマットレス１００と同一であり、相違点は、凹部Ａ１，Ａ２の形状にある。本実施の形態においては、凹部Ａ１，Ａ２として、平面視において長さ方向（Ｌ）に延びる長円形形状である。具体的には、実施の形態１において長さ方向に配置された２つの凹部を連続の凹部としたものである。
【００４６】
この凹部Ａ１，Ａ２を有するマットレス１００Ｂにおいても、上記実施の形態１におけるマットレス１００と同様の作用効果を得ることを可能としている。
【００４７】
［実施の形態４：マットレス１００Ｃ］
次に、図７を参照して、マットレス１００Ｃの構成について説明する。図７は、マットレス１００Ｃの裏面側から見た平面図である。このマットレス１００Ｃの基本的構成は、上記実施の形態１におけるマットレス１００と同一であり、相違点は、このマットレス１００Ｃは、ダブルサイズである。
【００４８】
幅方向（Ｗ）は約１４００ｍｍ、長さ方向（Ｌ）は約２０００ｍｍｍ、厚さは約４０ｍｍである。また、表面Ｆには幅方向に延びる線条の折り曲げ用溝ＯＬ１が設けられ、裏面Ｒにも幅方向に延びる線条の折り曲げ用溝ＯＬ２が設けられている。マットレス１００を三つ折りにすることから、折り曲げ用溝ＯＬ１および折り曲げ用溝ＯＬ２の位置としては、Ｌ１＝約６６７ｍｍ、Ｌ２＝約６６６ｍｍ、Ｌ３＝約６６７ｍｍに設けられている。
【００４９】
このマットレス１００Ｃの裏面Ｒには、長さ方向に延びる幅方向（Ｗ）の中心線ＣＬを挟み所定の間隔を隔てて配置された複数の凹部Ａ１，Ａ２が設けられている。さらに、複数の凹部Ａ１，Ａ２の間には、中心線ＣＬに沿って、複数の凹部Ａ３が設けられている。
【００５０】
この複数の凹部Ａ１，Ａ２，Ａ３のそれぞれは、実施の形態１の場合と同様に、網状構造体を裏面Ｒ側から表面Ｆ側に向けて窪んでいる。本実施の形態では、全ての凹部Ａ１，Ａ２，Ａ３は、平面視において円形形状を有している。直径は約３０ｍｍ、深さは約３０ｍｍ程度である。複数の凹部Ａ１，Ａ２，Ａ３のそれぞれには、２２個の凹部が設けられ、マットレス１００Ｃとしては、合計６６個の凹部が形成されている。凹部Ａ１，Ａ２，Ａ３は、網状構造体１１０を厚み方向に圧縮および加熱させて成形している。
【００５１】
本実施の形態において、長さ方向に沿ってみた場合には、凹部Ａ１，Ａ２，Ａ３は、２個の凹部Ａ１，Ａ２，Ａ３と１個の凹部Ａ１，Ａ２，Ａ３とが交互に配置されている。凹部Ａ１，Ａ２，Ａ３の長さ方向に沿った場合の中心位置での配置ピッチＰ１は、約４０ｍｍである。また、折り曲げ用溝ＯＬ１および折り曲げ用溝ＯＬ２に対する間隔Ｐ２は、約８５ｍｍに設けられている。
【００５２】
凹部Ａ１，Ａ２の幅方向における中心線ＣＬを挟んだ距離は、Ｆ側においては、Ｗ３１×２＝９８０ｍｍ、Ｗ３２×２＝９００ｍｍ、Ｗ３３×２＝８２０ｍｍ、Ｍ側においては、Ｗ４１×２＝１０３０ｍｍ、Ｗ４２×２＝９５０ｍｍ、Ｗ４３×２＝８７０ｍｍである。その結果、複数の凹部Ａ１，Ａ２は、中心線ＣＬを基準にしてみた場合に、Ｆ側において近く、Ｍ側において遠ざかるように傾斜するように設けられている。
【００５３】
このように、Ｆ側とＭ側とにおいては、長さ方向の一方側であるＭ側の幅が、長さ方向の他方側であるＦ側の幅よりも大きく設けられている。これは、Ｍ側がたとえば男性の頭側として用いた場合には、男性の肩幅に適していることを意味し、Ｆ側がたとえば女性の頭側として用いた場合には、肩幅が男性よりも一般的に狭い女性に適していることを意味している。
【００５４】
このように、使用する向きを変更することで、男性用と女性用とに使い分けることを可能とする。したがって、マットレス１００を３分割した場合において、使用者の肩が位置する部位に集中して凹部Ａ１，Ａ２，Ａ３を配置するようにしている。なお、複数の凹部Ａ１，Ａ２を、中心線ＣＬを基準にして見た場合に、平行となるように配置してもよい。
【００５５】
以上、本実施の形態におけるマットレス１００Ｃにおいても、上記実施の形態１におけるマットレス１００と同様の作用効果を得ることを可能としている。
【００５６】
［実施の形態５：マットレス１００Ｄ］
次に、図８を参照して、マットレス１００Ｄの構成について説明する。図８は、マットレス１００Ｄの裏面側から見た平面図である。このマットレス１００Ｄの基本的構成は、上記実施の形態４におけるマットレス１００Ｃと同一であり、相違点は、凹部Ａ１，Ａ２，Ａ３の形状にある。本実施の形態においては、凹部Ａ１，Ａ２，Ａ３として、平面視において幅方向（Ｗ）に延びる長円形形状である。具体的には、実施の形態４において幅方向に配置された２つの凹部を連続の凹部としたものである。
【００５７】
この複数の凹部Ａ１，Ａ２，Ａ３を有するマットレス１００Ｄにおいても、上記実施の形態１におけるマットレス１００と同様の作用効果を得ることを可能としている。
【００５８】
［実施の形態６：マットレス１００Ｅ］
次に、図９を参照して、マットレス１００Ｅの構成について説明する。図９は、マットレス１００Ｅの裏面側から見た平面図である。このマットレス１００Ｅの基本的構成は、上記実施の形態４におけるマットレス１００Ｃと同一であり、相違点は、凹部Ｈ３の形状にある。本実施の形態においては、凹部Ａ１，Ａ２，Ａ３として、平面視において長さ方向（Ｌ）に延びる長円形形状である。具体的には、実施の形態４において長さ方向に配置された２つの凹部を連続の凹部としたものである。
【００５９】
この複数の凹部Ａ１，Ａ２，Ａ３を有するマットレス１００Ｅにおいても、上記実施の形態１におけるマットレス１００と同様の作用効果を得ることを可能としている。
【００６０】
［実施の形態７：マットレス１００Ｆ］
次に、図１０を参照して、マットレス１００Ｆの構成について説明する。図１０は、マットレス１００Ｆの裏面側から見た平面図である。このマットレス１００Ｆの基本的構成は、上記実施の形態１におけるマットレス１００と同一であり、相違点は、複数の凹部の配置の形態にある。
【００６１】
上記実施の形態１におけるマットレス１００においては、所定の間隔を隔てて配置された一対の複数の凹部Ａ１１，Ａ１２，Ａ２１，Ａ２２の間隔が、長さ方向の一方側が、長さ方向の他方側よりも徐々に大きくなるように設けられている。一方、本実施の形態においては、複数の凹部Ａ１１と複数の凹部Ａ２１とは平行に設けられ、複数の凹部Ａ１２と複数の凹部Ａ２２とが平行に設けられており、長さ方向の一方側に位置する複数の凹部Ａ１２と複数の凹部Ａ２２との間隔が、長さ方向の他方側に位置する複数の凹部Ａ１１と複数の凹部Ａ２１との間隔よりも大きくなるように設けられている。この構成によっても上記実施の形態１におけるマットレス１００と同様の作用効果を得ることを可能としている。
【００６２】
［実施の形態８：マットレス１００Ｇ］
次に、図１１を参照して、マットレス１００Ｇの構成について説明する。図１１は、マットレス１００Ｇの裏面側から見た平面図である。このマットレス１００Ｇは、長さ方向に延びる幅方向の中心線ＣＬを挟み所定の間隔を隔てて配置された複数の凹部が二組設けられている。複数の凹部Ａ１１と複数の凹部Ａ２１とが一対となり、複数の凹部Ａ１２と複数の凹部Ａ２２とが一対となっている。この構成によっても上記実施の形態１におけるマットレス１００と同様の作用効果を得ることを可能としている。
【００６３】
なお、上記各実施の形態においては、マットレスを三つ折りにすることから、折り曲げ用溝ＯＬ１および折り曲げ用溝ＯＬ２を設ける場合について説明しているが、この構成には何ら限定されない。二つ折り、又は、四つ折り以上であってもよい。
【００６４】
また、折り曲げ用溝を設けず、例えば、分離された分離マットレスを用い、それらを組合わせて、上記各実施の形態におけるマットレスを構成するようにしてもよい。
【００６５】
以上、本発明に基づいた実施の形態および実施例について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６６】
１，１１０  網状構造体、２  連続線状体、３  ランダムループ、１００，１００Ａ，１００Ｂ，１００Ｃ，１００Ｄ，１００Ｅ，１００Ｆ，１００Ｇ  マットレス、Ａ１，Ａ２，Ａ３，Ａ１１，Ａ１２，Ａ２１，Ａ２２  凹部、ＣＬ  中心線、ＯＬ１，ＯＬ２  折り曲げ用溝。
【図１】
2017192536.tif 000003
【図２】
2017192536.tif 000004
【図３】
2017192536.tif 000005
【図４】
2017192536.tif 000006
【図５】
2017192536.tif 000007
【図６】
2017192536.tif 000008
【図７】
2017192536.tif 000009
【図８】
2017192536.tif 000010
【図９】
2017192536.tif 000011
【図１０】
2017192536.tif 000012
【図１１】
2017192536.tif 000013